(57)【要約】【課題】腕力を必要とするもことなく、慣れない者でも美麗に皮をむくことができ、しかも、屋外に簡単に携行できるようにする。【解決手段】提供されるソーセージ皮むき器は、概略長方形の板状体１に、ソーセージ２の少なくとも端部２ａが挿通可能な、概略円形の貫通孔３が穿設され、この貫通孔３の周縁部には、ソーセージ２に切込みを入れるための刃先４ａを持つ突起部４が設けられて構成されている。上記構成のソーセージ皮むき器を用いて、ソーセージ２の皮２ｂをむくには、ソーセージ２の端部２ａを貫通孔３に挿通させる。次に、ソーセージ２に、皮２ｂを突き破って肉部にまで達する程度に、刃先４ａを入れ、この後、ソーセージ２と軸心を概略共通にして、ソーセージの周りに沿って、貫通孔を円弧状にまわすと、ソーセージ２の皮２ｂが向けてゆく。【選択図】図２
0003125677.tif 000002
【実用新案登録請求の範囲】
【請求項１】
ソーセージの端部に円弧状の切込みを入れて当該ソーセージの皮をむくソーセージ皮むき器であって、
板状体に、
ソーセージの少なくとも端部が挿通可能な貫通孔が穿設され、
該貫通孔の周縁部には、前記ソーセージに切込みを入れるための刃先を持つ突起部が設けられていることを特徴とするソーセージ皮むき器。
【請求項２】
ソーセージの端部に円弧状の切込みを入れて当該ソーセージの皮をむくソーセージ皮むき器であって、
板状体に、
ソーセージの少なくとも端部が挿通可能な貫通孔が穿設され、
該貫通孔の周縁部には、前記ソーセージに切込みを入れるための刃先を持つ突起部が設けられ、かつ、
前記刃先は両刃構成からなることを特徴とするソーセージ皮むき器。
【請求項３】
前記板状体、前記刃先及び突起部は一体的に構成されていて、かつ、前記刃先及び突起部は、前記板状体の一部分であることを特徴とする請求項１又は２記載のソーセージ皮むき器。
【考案の詳細な説明】
【技術分野】
【０００１】
この考案は、ソーセージ皮むき器に係り、詳しくは、ソーセージの端部に円弧状の切込みを入れて当該ソーセージの皮をむくソーセージ皮むき器に関する。
【背景技術】
【０００２】
ソーセージを食するものは多い。しかし、ソーセージを食するには、皮をむかなければならないが、ソーセージの皮は、食品保護上頑丈に作られているので、この皮をむくのは、意外と煩雑である。手でむくには腕力を必要とするし、包丁やカッターを用いても、美麗に皮をむくのは中々大儀であり、また、慣れない者にとっては、危険でさえある。それでも、屋外であれば、包丁やカッターがあるので、まだ増しである。
【考案の開示】
【考案が解決しようとする課題】
【０００３】
ソーセージは、ハイキングや運動会等の屋外活動における食材としても、好まれる。しかしながら、屋外では、カッターや包丁などを持ち合わせていない場合が多い。このような場合には、ソーセージを手でむくしかなく、無用の腕力を必要とするので、不愉快である。
【０００４】
この考案は、上述の事情に鑑みてなされたもので、腕力を必要とするもことなく、慣れない者でも美麗に皮をむくことができ、しかも、屋外に簡単に携行できる、使い勝手の良いソーセージ皮むき器を提供することを目的としている。
【課題を解決するための手段】
【０００５】
上記課題を解決するために、請求項１記載の考案は、ソーセージの端部に円弧状の切込みを入れて当該ソーセージの皮をむくソーセージ皮むき器に係り、板状体に、ソーセージの少なくとも端部が挿通可能な貫通孔が穿設され、該貫通孔の周縁部には、前記ソーセージに切込みを入れるための刃先を持つ突起部が設けられていることを特徴としている。
【０００６】
また、請求項２記載の考案は、ソーセージの端部に円弧状の切込みを入れて当該ソーセージの皮をむくソーセージ皮むき器に係り、板状体に、ソーセージの少なくとも端部が挿通可能な貫通孔が穿設され、該貫通孔の周縁部には、前記ソーセージに切込みを入れるための刃先を持つ突起部が設けられ、かつ、前記刃先は両刃構成からなることを特徴としている。
【０００７】
また、請求項３記載の考案は、請求項１又は２記載のソーセージ皮むき器に係り、前記板状体、前記刃先及び突起部は一体的に構成されていて、かつ、前記刃先及び突起部が、前記板状体の一部分であることを特徴としている。
【考案の効果】
【０００８】
この考案の構成によれば、ソーセージの端部を貫通孔に挿通させた状態で、ソーセージに、皮を突き破って肉部にまで達する程度に、刃先を入れ、この後、ソーセージ２と軸心を概略共通にして、ソーセージの周りに沿って、貫通孔を円弧状にまわすだけで、容易かつ美麗に皮をむくことができる。しかも、刃先が、貫通孔の内側に設けられているので、安全である。全体として、板状体なので、軽薄短小である。それゆえ、野外に携行するのに便利である。
【考案を実施するための最良の形態】
【０００９】
この考案の最良の形態は、ステンレス等の金属板やプラスティック等の板状体に、ソーセージの少なくとも端部が挿通可能な貫通孔が穿設され、該貫通孔の周縁部には、前記ソーセージに切込みを入れるための刃先を持つ突起部が設けられている。
【実施例１】
【００１０】
図１は、この考案の第１実施例であるソーセージ皮むき器の外観構成を示す平面図、また、図２は、同ソーセージ皮むき器の使用状態を示す図である。
【００１１】
この例のソーセージ皮むき器は、図１及び図２に示すように、概略長方形の板状体１に、ソーセージ２の少なくとも端部２ａが挿通可能な、概略円形の貫通孔３が穿設され、この貫通孔３の周縁部には、ソーセージ２に切込みを入れるための刃先４ａを持つ突起部４が設けられて、全体としてカード構成に形成されている。
【００１２】
板状体１の素材としては、ステンレス等の金属板が好ましいが、硬質加工処理されたプラスティック、木質、セラミックあるいは紙類等を用いることもできる。
【００１３】
上記構成のソーセージ皮むき器を用いて、ソーセージ２の皮２ｂをむくには、ソーセージ２の端部２ａを貫通孔３に挿通させる。次に、ソーセージ２に、皮２ｂを突き破って肉部にまで達する程度に、刃先４ａを入れ、この後、ソーセージ２と軸心を概略共通にして、ソーセージの周りに沿って、貫通孔を円弧状にまわすと、ソーセージ２の皮２ｂが向けてゆく。なお、板状体１（貫通孔３）側をまわす代わりに、ソーセージ２の方を回転させても良い。
【００１４】
上記構成によれば、刃先をソーセージに軽く食い込ませた状態で、ソーセージの周りに沿って、貫通孔を円弧状にまわすだけなので、容易かつ美麗に皮をむくことができる。しかも、刃先が、貫通孔の内側に設けられているので、安全である。加えて、全体として、板状体なので、軽薄短小である。それゆえ、野外に携行するのに便利である。
【００１５】
以上、この考案の実施例を図面を参照して詳述してきたが、具体的な構成はこの実施例に限られるものではなく、この考案の要旨を逸脱しない範囲の設計の変更等があってもこの発明に含まれる。
【００１６】
例えば、板状体の形状は、長方形に限らず、楕円形、円形でも良く、あるいは、多角形でも良い。また、動物や果物、景色、建造物、その他の事物を模した形状でも良い。同様に、貫通孔の形状も円形に限定されない。
【００１７】
また、上述の実施例では、刃先は片刃４ａであるが、これに代えて、図３及び図４に示すように、両刃４ｂ、４ｃでも良い。両刃４ｂにすれば、貫通孔３を左右どちらにまわしても、皮をむくことができるので、右利きに限らず左利きの者にも使い勝手が良い。
【００１８】
また、上述の実施例では、刃先も突起部も板状体も同一素材の一体成形品又は一体加工品であるが、例えば、図５に示すように、プラスティックカードからなる板状体１ａにステンレスの刃先４ｄを接合しても良い。
【図面の簡単な説明】
【００１９】
【図１】この考案の第１実施例であるソーセージ皮むき器の外観構成を示す平面図である。
【図２】同ソーセージ皮むき器の使用状態を示す図である。
【図３】同第１実施例の第１変形例であるソーセージ皮むき器の外観構成を示す平面図である。
【図４】同第１実施例の第２変形例であるソーセージ皮むき器の外観構成を示す平面図である。
【図５】同第１実施例の第３変形例であるソーセージ皮むき器の外観構成を示す平面図である。
【符号の説明】
【００２０】
１、１ａ        板状体
２        ソーセージ
２ａ    ソーセージの端部
２ｂ    ソーセージの皮
３        貫通孔
４        突起部
４ａ、４ｂ、４ｃ、４ｄ    刃先
【図１】
0003125677.tif 000003
【図２】
0003125677.tif 000004
【図３】
0003125677.tif 000005
【図４】
0003125677.tif 000006
【図５】
0003125677.tif 000007